(57)【要約】【課題】表示装置に各種の処理を指示するときのユーザの負担を少なくする。【解決手段】ユーザは、裏面操作を行うことで表示面１４１上の所望の位置にユーザインターフェース画像ＵＩを表示させ、表示装置１０に対して所望の処理を指示する。ユーザインタフェース画像ＵＩはユーザの人差し指ｆ１の指先が届く範囲内の位置で表示されるから、表示面１４１においてその位置に対しては親指ｆ２も届きやすく、アイコンを選択する操作も容易となる。ユーザは、コンテンツが表示されていない背景領域などの裏面部分を人差し指ｆ１で触るようにすれば、コンテンツの視認に邪魔にならない領域にユーザインタフェース画像ＵＩを表示させることが可能となる。【選択図】図１
2014092880.tif 000002
【特許請求の範囲】
【請求項１】
画像を表示する表示面と、
前記表示面とは反対側に設けられた操作面と、
前記操作面に対してユーザが行った操作を検出する操作検出手段と、
前記操作検出手段によって操作が検出されると、当該操作が行われた前記操作面上の位置に対応する前記表示面上の位置に、前記ユーザが自装置の行う処理を指示するためのユーザインタフェース画像を表示させる表示制御手段と
を備えることを特徴とする表示装置。
【請求項２】
前記表示制御手段は、
前記ユーザインタフェース画像を前記表示面に表示させた後に、当該ユーザインタフェース画像の表示位置に対応する前記操作面上の位置が操作されたことを前記操作検出手段が検出すると、
当該ユーザインタフェース画像の表示を止める、又は、当該ユーザインタフェース画像の表示態様を変える
ことを特徴とする請求項１に記載の表示装置。
【請求項３】
前記表示制御手段は、
前記ユーザインタフェース画像を前記表示面に表示させた後に、当該ユーザインタフェース画像の表示位置に対応しない前記操作面上の位置が操作されたことを前記操作検出手段が検出すると、
当該ユーザインタフェース画像の表示を止めて、前記操作が行われた前記操作面上の位置に対応する前記表示面上の位置に、新たに前記ユーザインタフェース画像を表示させる
ことを特徴とする請求項１又は２に記載の表示装置。
【請求項４】
前記表示制御手段は、
前記操作が行われた前記操作面上の位置に応じて異なるユーザインタフェース画像を前記表示面に表示させる
ことを特徴とする請求項１から３のいずれか１項に記載の表示装置。
【請求項５】
前記表示制御手段は、
前記ユーザが前記操作面に対する操作を行ったときの力の大きさに応じて異なるユーザインタフェース画像を前記表示面に表示させる
ことを特徴とする請求項１から３のいずれか１項に記載の表示装置。
【請求項６】
前記表示制御手段は、
前記ユーザが前記操作面に対する操作を行ったときの操作量に応じて異なるユーザインタフェース画像を前記表示面に表示させる
ことを特徴とする請求項１から３のいずれか１項に記載の表示装置。
【請求項７】
前記操作検出手段は、
前記操作面に対してユーザが行った第１操作と、前記表示面に対してユーザが行った第２操作とをそれぞれ検出し、
前記表示制御手段は、
前記操作検出手段が検出した第１操作と第２操作とに応じて、前記ユーザインタフェース画像を前記表示面に表示させる
ことを特徴とする請求項１から６のいずれか１項に記載の表示装置。
【請求項８】
画像を表示する表示面とは反対側に設けられた操作面に対してユーザが行った操作を検出するステップと、
前記操作面に対する操作が検出されると、当該操作が行われた前記操作面上の位置に対応する前記表示面上の位置に、前記ユーザが自装置の行う処理を指示するためのユーザインタフェース画像を表示させるステップと
を有することを特徴とする表示制御方法。
【請求項９】
コンピュータに、
画像を表示する表示面とは反対側に設けられた操作面に対してユーザが行った操作を検出するステップと、
前記操作面に対する操作が検出されると、当該操作が行われた前記操作面上の位置に対応する前記表示面上の位置に、前記ユーザが自装置の行う処理を指示するためのユーザインタフェース画像を表示させるステップと
を実行させるためのプログラム。
【発明の詳細な説明】
【技術分野】
【０００１】
本発明は、表示装置においてユーザインタフェースとして機能する画像を表示する技術に関する。
【背景技術】
【０００２】
ユーザが手に持って操作することの可能な表示装置には、表面（おもてめん）に画像を表示する一方、裏面からユーザの操作入力を受け付ける機能を有するものがある。特許文献１には、デジタルフォトフレーム等の表示装置の裏面に対するユーザの接触操作を検出して、表面に表示する画像に対する各種処理（スライドショーの早送りや巻き戻し、一時停止等）を行うことが開示されている。
【先行技術文献】
【特許文献】
【０００３】
【特許文献１】特開２０１０−１０８０７１号公報
【発明の概要】
【発明が解決しようとする課題】
【０００４】
ところで、ユーザが表示装置を利用する場合、必ずしも両手を使って操作できるとは限らない。例えば、ユーザが表示装置を持っていないほうの手で荷物を持っていたり電車やバスのつり革を握っていたりすると、表示装置を持っている手だけでその表示装置を操作しなければならない。このようにユーザが片手で表示装置を操作しなければならない場合であっても、ユーザの操作負担はなるべく小さいことが望ましい。
【０００５】
また、特許文献１に記載の仕組みによれば、表示装置の裏面をユーザが指で触るときの接触方法を変えることで、早送りや巻き戻し、一時停止等の各種処理を個別に指示することができる。しかしながら、処理の種類が多い場合には、ユーザは、その接触方法と処理との対応関係を覚えていなければ、所望の処理をすばやく指示することができない。よって、ユーザの操作に関する負担は大きいと言える。
【０００６】
そこで、本発明の目的は、表示装置に各種の処理を指示するときのユーザの負担を少なくすることにある。
【課題を解決するための手段】
【０００７】
上述した課題を解決するため、本発明は、画像を表示する表示面と、前記表示面とは反対側に設けられた操作面と、前記操作面に対してユーザが行った操作を検出する操作検出手段と、前記操作検出手段によって操作が検出されると、当該操作が行われた前記操作面上の位置に対応する前記表示面上の位置に、前記ユーザが自装置の行う処理を指示するためのユーザインタフェース画像を表示させる表示制御手段とを備えることを特徴とする表示装置を提供する。
【０００８】
前記表示制御手段は、前記ユーザインタフェース画像を前記表示面に表示させた後に、当該ユーザインタフェース画像の表示位置に対応する前記操作面上の位置が操作されたことを前記操作検出手段が検出すると、当該ユーザインタフェース画像の表示を止める、又は、当該ユーザインタフェース画像の表示態様を変えるようにしてもよい。
【０００９】
前記表示制御手段は、前記ユーザインタフェース画像を前記表示面に表示させた後に、当該ユーザインタフェース画像の表示位置に対応しない前記操作面上の位置が操作されたことを前記操作検出手段が検出すると、当該ユーザインタフェース画像の表示を止めて、前記操作が行われた前記操作面上の位置に対応する前記表示面上の位置に、新たに前記ユーザインタフェース画像を表示させるようにしてもよい。
【００１０】
前記表示制御手段は、前記操作が行われた前記操作面上の位置に応じて異なるユーザインタフェース画像を前記表示面に表示させるようにしてもよい。また、前記表示制御手段は、前記ユーザが前記操作面に対する操作を行ったときの力の大きさに応じて異なるユーザインタフェース画像を前記表示面に表示させるようにしてもよい。また、前記表示制御手段は、前記ユーザが前記操作面に対する操作を行ったときの操作量に応じて異なるユーザインタフェース画像を前記表示面に表示させるようにしてもよい。
【００１１】
前記操作検出手段は、前記操作面に対してユーザが行った第１操作と、前記表示面に対してユーザが行った第２操作とをそれぞれ検出し、前記表示制御手段は、前記操作検出手段が検出した第１操作と第２操作とに応じて、前記ユーザインタフェース画像を前記表示面に表示させるようにしてもよい。
【００１２】
また、本発明は、画像を表示する表示面とは反対側に設けられた操作面に対してユーザが行った操作を検出するステップと、前記操作面に対する操作が検出されると、当該操作が行われた前記操作面上の位置に対応する前記表示面上の位置に、前記ユーザが自装置の行う処理を指示するためのユーザインタフェース画像を表示させるステップとを有する表示制御方法を提供する。
【００１３】
また、本発明は、コンピュータに、画像を表示する表示面とは反対側に設けられた操作面に対してユーザが行った操作を検出するステップと、前記操作面に対する操作が検出されると、当該操作が行われた前記操作面上の位置に対応する前記表示面上の位置に、前記ユーザが自装置の行う処理を指示するためのユーザインタフェース画像を表示させるステップとを実行させるためのプログラムを提供する。
【発明の効果】
【００１４】
本発明によれば、表示装置に各種の処理を指示するときのユーザの負担を少なくすることができる。
【図面の簡単な説明】
【００１５】
【図１】表示装置のハードウェア構成を示すブロック図。
【図２】表示装置の外観図。
【図３】ユーザが表示装置を把持したときの様子を示す図。
【図４】表示装置の機能構成を示すブロック図。
【図５】制御部の処理の手順を示すフローチャート。
【図６】ユーザインタフェース画像が変化する様子を説明する図。
【図７】ユーザインタフェース画像の表示例を説明する図。
【図８】ユーザインタフェース画像の表示例とユーザの操作を説明する図。
【図９】ユーザインタフェース画像の表示例とユーザの操作を説明する図。
【発明を実施するための形態】
【００１６】
以下、図面を参照しつつ本発明の実施形態を説明する。
［実施形態］
図１は、本発明の一実施形態である表示装置１０のハードウェア構成を示すブロック図である。表示装置１０は、例えば携帯電話機、スマートフォン、無線ＬＡＮ（Local Area Network）端末またはタブレット端末など、ユーザが手に持った状態で操作可能であり、画像を表示する機能を少なくとも有する装置である。表示装置１０は、図１に示すように、制御部１１と、操作部１２と、通信部１３と、表示部１４と、記憶部１５とを備える。制御部１１は、ＣＰＵ（Central Processing Unit）、ＲＯＭ(Read Only Memory)、及びＲＡＭ（Random Access Memory）を有するマイクロコンピュータである。ＣＰＵは、ＲＯＭや記憶部１５に記憶されたプログラムをＲＡＭに読み出して実行することにより、表示装置１０の各部を制御する。操作部１２は、裏面タッチパッド１２１、表面センサ１２２及び物理キー（図示略）を備え、ユーザによる操作を受け付ける。通信部１３は、無線通信回路やアンテナを有し、図示しないネットワークに接続して通信するためのインタフェースである。表示部１４は、例えば液晶ディスプレイであり、複数の画素が配列された矩形の表示面１４１を有している。記憶部１５は、例えばＥＥＰＲＯＭ（Electronically Erasable and Programmable ROM）やフラッシュメモリ等の記憶装置であり、制御部１１により実行されるプログラムや、表示部１４に表示されるコンテンツを記憶する。表示部１４に表示されるコンテンツは例えば電子書籍であり、通信部１３により表示装置１０にダウンロードされるなどの方法により、記憶部１５に記憶される。
【００１７】
図２において、（ａ）は、表示装置１０の表面を平面視したときの外観図であり、（ｂ）は、表示装置１０の裏面を平面視したときの外観図である。ユーザが表示装置１０を持ったとき、ユーザに正対する側の面が表面であり、その反対側の面が裏面である。表示装置１０は、ユーザが片手に持つことができる程度の寸法で、全体として板状（言い換えれば薄い直方体状）の形状である。裏面タッチパッド１２１は、表示装置１０の裏面に設けられた操作面として機能する。裏面タッチパッド１２１は、ユーザの指等を用いて行われた接触操作を、例えば接触センサを用いて検出する。裏面タッチパッド１２１は、接触操作により指示された位置を検出すると、検出した位置を示す位置情報（裏面タッチパッド１２１における座標情報）を制御部１１に供給する。裏面タッチパッド１２１は、例えば静電容量型のセンサであるが、センサの検出方式は特に問わない。裏面タッチパッド１２１が検出する操作のことを、以下では「裏面操作」という。
【００１８】
表面センサ１２２は、表示面１４１に重ねて設けられ、表示装置１０の表面に設けられた操作面として機能する。表面センサ１２２は、表示面１４１に表示された画像をユーザが視認するのを妨げないように、例えば透明の素材で形成されている。表面センサ１２２は、ユーザの指等が表示面１４１に接触している状態を検出するセンサである。表面センサ１２２は、例えば静電容量型のセンサであるが、センサの検出方式は特に問わない。表面センサ１２２は、ユーザの指等で指示された位置を検出すると、検出した位置を示す位置情報（表面センサ１２２における座標情報）を制御部１１に供給する。表面センサ１２２が検出する操作のことを、以下では「表面操作」という。
【００１９】
なお、図２においては、表示面１４１が裏面タッチパッド１２１よりも大きいが、これは一例にすぎず、表示面１４１と裏面タッチパッド１２１とがほぼ同じ大きさであってもよい。ただし、表示面１４１に垂直な方向から視たとき、表示面１４１と裏面タッチパッド１２１とが重なるような位置関係になっている。
【００２０】
図３において、（ａ）は、ユーザが表示装置１０を右手で把持して表示面１４１に表示された画像を閲覧するときの様子を表し、（ｂ）は、ユーザが表示装置１０を右手で把持したまま裏面操作を行ったときの様子を表す。図３（ａ）に示すように、ユーザは、画像を閲覧するとき、右手で裏面側から包み込むように表示装置１０を把持する。ユーザが右手を用いて裏面操作を行う場合には、図３（ｂ）に示すように、例えば表示装置１０の裏面タッチパッド１２１において、人差し指ｆ１の届く範囲内で裏面タッチパッド１２１の表面を軽く押す（触る）操作を行う。これに応じて、この操作が行われた裏面タッチパッド１２１上の操作位置（人差し指ｆ１の指先の位置）に対応する表示面１４１上の位置に、ユーザが表示装置１０の行う処理を指示するためのユーザインタフェース画像ＵＩが表示されるようになっている。
【００２１】
ここで、“裏面タッチパッド１２１上の操作位置に対応する表示面１４１上の位置”とは、裏面タッチパッド１２１上の操作位置が決まれば表示面１４１上の位置も一意に決まるというような対応関係にあるような位置のことである。典型的には、この表示面１４１上の位置は、表示面１４１に垂直な方向から視たときに、裏面タッチパッド１２１上の操作位置とちょうど重なるような表示面１４１上の位置である。この場合、図３（ｂ）に示すように、ユーザから見れば、自らの人差し指ｆ１の指先の位置にユーザインタフェース画像ＵＩが表示されているように感じられる。
【００２２】
ユーザインターフェース画像とは、表示装置１０とユーザとの間で情報のやり取りを行うための画像であり、例えば、処理に関連付けられたアイコンやソフトボタンなどのオブジェクトをユーザの指等の指示子によって指し示すためのグラフィカルユーザインタフェース（ＧＵＩ）である。図３（ｂ）の例では、ユーザインタフェース画像ＵＩは、データを保存する処理を指示するためのアイコンｉ１と、データを新たに表示する処理を指示するためのアイコンｉ２と、電子メールを作成する処理を指示するためのアイコンｉ３とを含んでいる。ユーザは、表示面１４１に表示されたユーザインターフェース画像ＵＩに含まれるアイコンを親指ｆ２などで触ることで、表示装置１０に対して所望の処理を指示し、表示装置１０の制御部１１はその処理を実行する。このユーザインタフェース画像ＵＩは、ユーザと対話し得るように構成されたものであるから、ユーザの選択肢となる処理の種類が多い場合であっても、ユーザはこのユーザインタフェース画像ＵＩの案内に従って操作すればよいだけであるから、操作負担は小さい。
【００２３】
また前述したように、ユーザインタフェース画像ＵＩはユーザの人差し指ｆ１の指先が届く範囲内の位置に表示されるから、表示面１４１においてもその位置に対して親指ｆ２が届きやすく、アイコンを選択する操作も容易となる。ユーザは、図３（ａ）の状態でコンテンツが表示されていない背景領域などの裏面部分を人差し指ｆ１で触るようにすれば、コンテンツの視認に邪魔にならない領域にユーザインタフェース画像ＵＩを表示させることが可能となる。つまり、ユーザは様々な理由により自らが表示させたいと考えた位置にユーザインタフェース画像ＵＩを表示させることができる。なお、ユーザが表示装置１０を左手で把持した場合については、図３に関する説明において、「右手」を「左手」に読み替えればよい。
【００２４】
図４は、表示装置１０の機能構成を示すブロック図である。図４に示すように、表示装置１０の制御部１１は、操作検出部１１１と表示制御部１１２としての機能を実現する。操作検出部１１１は、操作部１２に対してユーザに行われた操作を検出する。操作検出部１１１は、裏面タッチパッド１２１から位置情報を取得し、取得した位置情報に応じて裏面操作を検出する。また、操作検出部１１１は、表面センサ１２２から位置情報を取得し、取得した位置情報に応じて表面操作を検出する。
【００２５】
表示制御部１１２は、表示部１４を制御して表示面１４１に画像を表示させる。表示制御部１１２は、操作検出部１１１が検出した表面操作に応じた表示制御を行う。例えば、表示制御部１１２は、表示面１４１に表示されたアイコン等のオブジェクトが選択されると、選択されたオブジェクトに応じた画像を表示させる。また、表示制御部１１２は、操作検出部１１１が検出した裏面操作に応じた表示制御を行う。例えば、表示制御部１１２は、裏面操作が行われた裏面タッチパッド１２１上の位置に対応する表示面１４１上の位置に、前述したインタフェース画像ＵＩを表示させる。
【００２６】
次に、本実施形態の動作を説明する。図５は、制御部１１によるユーザインタフェース画像の表示に関する処理の手順を示すフローチャートである。制御部１１は、例えば図３（ａ）に示す態様でユーザに把持された状態で、ユーザが閲覧しようとするコンテンツを選択する表面操作を検出すると、選択されたコンテンンツを表示面１４１に表示させる。制御部１１は、コンテンツの表示中に、裏面タッチパッド１２１によって裏面操作を検出したかどうかを判断する（ステップＳ１１）。
【００２７】
制御部１１は、裏面操作を検出した場合には（ステップＳ１１；ＹＥＳ）、裏面タッチパッド１２１における座標情報を表面センサ１２２における座標情報に変換することで、裏面操作の操作位置に対応する表示面１４１上の位置を特定する（ステップＳ１２）。そして、制御部１１は、特定した表示面１４１上の位置にユーザインタフェース画像ＵＩを表示させる（ステップＳ１３）。
【００２８】
これにより、図３（ｂ）に示すように、ユーザインタフェース画像ＵＩが表示面１４１に表示される。図６（ａ）はユーザインタフェース画像ＵＩの拡大図である。ユーザインタフェース画像ＵＩは、前述したアイコンｉ１〜ｉ３のほか、ユーザインタフェース画像を更新するためのソフトボタンＳ１１，Ｓ１２が含まれている。制御部１１は、アイコンｉ１〜ｉ３のいずれかがユーザにより選択され、処理が指示されたと判断すると（ステップＳ１４；ＹＥＳ）、制御部１１は、選択されたアイコンに関連付けられた処理を実行する（ステップＳ１５）。
【００２９】
本実施形態では、５つ以上のアイコンがリング状となるよう仮想的に配置されており、ソフトボタンｉ１１，ｉ１２が選択されると、そのリングが回転したかの如く、アイコンの位置が１つずれた状態でユーザインタフェース画像ＵＩが表示されるようになっている。例えば、右方向を指し示すソフトボタンＳ１１が選択されると、制御部１１は、ユーザインタフェース画像ＵＩの送り操作がなされたと判断して（ステップＳ１６；ＹＥＳ）、リング状となるよう仮想的に配置されたアイコンの位置が左に１つ移動した状態になるように、ユーザインタフェース画像ＵＩを更新して表示する（ステップＳ１７）。
【００３０】
これにより、図６（ｂ）に示すようなユーザインタフェース画像ＵＩが表示面１４１に表示される。このユーザインタフェース画像ＵＩは、前述したアイコンｉ２、ｉ３のほか、画像の拡大処理を指示するためのアイコンｉ４が含まれているが、アイコンｉ１は含まれていない。一方、左方向を指し示すソフトボタンＳ１０が選択されると、制御部１１は、ユーザインタフェース画像の送り操作がなされたと判断して、アイコンの位置が右に１つ移動した状態になるように、ユーザインタフェース画像ＵＩを更新して表示する。
【００３１】
ユーザは、ユーザインタフェース画像ＵＩを表示面１４１から消去したい場合には、そのユーザインタフェース画像ＵＩの表示位置に対応する裏面タッチパッド１２１上の位置を触ればよい。制御部１１は、ユーザインタフェース画像ＵＩを表示面１４１に表示させた後に、そのユーザインタフェース画像ＵＩの表示位置に対応する裏面タッチパッド１２１上の位置が操作されたことを検出すると（ステップＳ１８；ＹＥＳ）、ユーザインタフェース画像の表示を止めてコンテンツのみを表示した状態に戻る（ステップＳ１９）。
【００３２】
また、ユーザは、ユーザインタフェース画像ＵＩの表示位置を変更したい場合には、そのユーザインタフェース画像ＵＩの表示位置に対応する裏面タッチパッド１２１上の位置以外の位置（つまりユーザインタフェース画像ＵＩの新たな表示位置に対応する裏面タッチパッド１２１上の位置）を触ればよい。制御部１１は、ユーザインタフェース画像ＵＩを表示面１４１に表示させた後に、そのユーザインタフェース画像ＵＩの表示位置に対応する裏面タッチパッド１２１上の位置以外の位置が操作されたことを検出すると（ステップＳ２０；ＹＥＳ）、それまでに表示していたユーザインタフェース画像ＵＩを消去し、さらに、その操作位置に対応する表示面１４１上の位置に新たにユーザインタフェース画像ＵＩを表示する（ステップＳ２１）。つまり、ユーザからは、ユーザインタフェース画像ＵＩが移動したように見える。
【００３３】
以上説明したように、本実施形態によれば、ユーザは、裏面操作を行うことにより、表示面１４１上の所望の位置にユーザインターフェース画像ＵＩを表示させ、そして、このユーザインターフェース画像ＵＩに対する表面操作により表示装置１０に所望の処理を指示することができる。よって、ユーザにとって選択肢となる処理の種類が多い場合であっても、ユーザはこのユーザインタフェース画像ＵＩの案内に従って操作すればよいだけであり、例えば処理の種類と操作方法との対応関係を記憶する必要などがない。
【００３４】
そして、ユーザインタフェース画像ＵＩはユーザの人差し指ｆ１の指先が届く範囲内の位置で表示されるから、表示面１４１においてもその位置に対しては親指ｆ２が届きやすく、処理を指示するアイコンを選択する操作も容易となる。
【００３５】
また、ユーザは、コンテンツが表示されていない背景領域などの裏面部分を人差し指ｆ１で触るようにすれば、コンテンツの視認に邪魔にならない領域にユーザインタフェース画像ＵＩを表示させることが可能となる。
【００３６】
なお、ユーザインターフェース画像ＵＩの表示位置を指定するときに、裏面操作ではなく、表面操作で指定することも可能である。しかし、仮にそのような仕組みにしてしまうと、表面操作するときに、表示面１４１に表示されているコンテンツを親指が遮ることになるので、このときにコンテンツの視認が妨げられることになる。これに対し、本実施形態によれば、ユーザインターフェース画像ＵＩを表示するまでの過程においてコンテンツの視認が妨げられることがない。
【００３７】
［変形例］
本発明は、上述した実施形態と異なる形態で実施することが可能である。本発明は、例えば、以下のような形態で実施することも可能である。また、以下に示す変形例は、各々を適宜に組み合わせてもよい。
（変形例１）
実施形態では、アイコンの位置を移動させる送り操作を意味するソフトボタンを選択することで、異なる内容のユーザインタフェース画像ＵＩを表示させていたが、以下のようにしてユーザインタフェース画像ＵＩを表示させるようにしてもよい。
【００３８】
例えば制御部１１は、操作が行われた裏面タッチパッド１２１上の位置に応じて異なるユーザインタフェース画像を表示面１４１に表示させてもよい。図７（Ａ）に示すように、例えば、裏面タッチパッド１２１の予め決められた中央領域が操作されれば、制御部１１は、表示されているコンテンツを処理対象とした第１のユーザインタフェース画像ＵＩ１（例えばコンテンツの保存、コピーや拡大といった処理を指示するためのユーザインタフェース画像）を表示する。一方、図７（Ｂ）に示すように、、裏面タッチパッド１２１の予め決められた端部領域が操作されれば、制御部１１は、表示されているコンテンツを処理対象としない第２のユーザインタフェース画像ＵＩ２（例えばメーラや音声認識ソフトなどの他のソフトウェアの起動といった処理を指示するためのユーザインタフェース画像）を表示する。
【００３９】
また、制御部１１は、ユーザが裏面タッチパッド１２１に対する操作を行ったときの力の大きさに応じて異なるユーザインタフェース画像を表示面に表示させてもよい。例えば、
裏面タッチパッド１２１はユーザの指によって押されたときの押圧力を検知する機能を備えている。そして、制御部１１は、裏面操作における押圧力を検知して、図８（Ａ）に示すように、押圧力が閾値以上であれば、表示されているコンテンツを処理対象とした第１のユーザインタフェース画像ＵＩ１を表示し、図８（Ｂ）に示すように、押圧力が閾値未満であれば、表示されているコンテンツを処理対象としない第２のユーザインタフェーズ画像ＵＩ２を表示する。
【００４０】
また、制御部１１は、ユーザが裏面タッチパッド１２１に対する操作を行ったときの操作量に応じて異なるユーザインタフェース画像を表示面に表示させてもよい。例えば、制御部１１は、裏面操作で裏面タッチパッド１２１を押す操作が連続して行われた回数（操作量）に応じて異なるユーザインターフェース画像を表示する。具体的には、制御部１１は、押す操作が１回であれば、表示されているコンテンツを処理対象とした第１のユーザインタフェース画像ＵＩ１を表示し、押す操作が所定期間内に２回連続してあれば、表示されているコンテンツを処理対象としない第２のユーザインタフェーズ画像ＵＩ２を表示する。
なお、上述した実施形態および変形例において、表示装置１０が検出する裏面操作の操作方法を規定する具体的数値や態様はあくまで一例であり、これ以外の数値や態様に適宜変更されてもよい。
【００４１】
（変形例２）
表示装置１０は、両手操作モードと片手操作モードという異なる操作モードを有し、片手操作モード時においてのみ、裏面操作に応じてユーザインタフェース画像の表示を行ってもよい。この場合に、両手操作モード時の表示制御はどのように行ってもよく、例えば表面操作のみによって表示制御を行ってもよい。操作モードの判定については、表示装置１０は、ユーザが手動で設定した操作モードが両手操作モードであるか片手操作モードであるかということを特定してもよいし、表面操作や裏面操作の検知結果を解析して、操作モードを自動判別して特定してもよい。
【００４２】
（変形例３）
実施形態において、制御部１１は、裏面操作のみに応じてユーザインタフェース画像を表示していたが、裏面操作（第１操作）と表面操作（第２操作）とをそれぞれ検出し、これら裏面操作（第１操作）と表面操作（第２操作）とに応じてユーザインタフェース画像を表示面１４１に表示させるようにしてもよい。図９（Ａ）に示すように、例えば、制御部１１は、裏面操作（第１操作）を検出した後に、表示面１４１上の所定の位置を触る表面操作（第２操作）があった場合にユーザインタフェース画像ＵＩを表示面に表示させるようにしてもよい。また、図９（Ｂ）に示すように、制御部１１は、表示面１４１上の所定の位置を触る表面操作（第２操作）があった後に、裏面操作（第１操作）を検出すると、ユーザインタフェース画像ＵＩを表示面に表示させるようにしてもよい。また、図９（Ｃ）に示すように、制御部１１は、表示面１４１上の所定の位置を触る表面操作（第２操作）を行っている期間中に、裏面操作（第１操作）を検出すると、ユーザインタフェース画像ＵＩを表示面に表示させるようにしてもよい。なお、図９（Ａ）〜（Ｃ）において制御部１１は全て同じユーザインタフェース画像ＵＩを表示させていたが、それぞれの操作方法に応じて異なるユーザインタフェース画像を表示させてもよい。例えば、制御部１１は、裏面操作（第１操作）を検出した後に表面操作（第２操作）があった場合にユーザインタフェース画像ＵＩ１を表示させる。また、表面操作（第２操作）があった後に裏面操作（第１操作）を検出した場合には、ユーザインタフェース画像ＵＩ２を表示させる。また、表面操作（第２操作）を行っている期間中に裏面操作（第１操作）を検出した場合には、ユーザインタフェース画像ＵＩ１およびＵＩ２、或いは、これらと異なるユーザインタフェース画像を表示させる。
【００４３】
（変形例４）
実施形態において、制御部１１は、ユーザインタフェース画像ＵＩを表示面１４１に表示させた後に、そのユーザインタフェース画像ＵＩの表示位置に対応する裏面タッチパッド１２１上の位置が操作されたことを検出すると、ユーザインタフェース画像の表示を止めていた。これに代えて、制御部１１は、そのユーザインタフェース画像ＵＩをその操作前よりも小さい大きさで表示するとか、半透明の画像として表示するとか、表示面１４１の端部に寄せて表示するなどのように、操作前とは表示態様を変えて表示するようにしてもよい。
【００４４】
（変形例５）
上述した実施形態に係る表示装置１０は、その表面と裏面とが正反対の方向を向いていた。表示装置１０の表面と裏面の位置関係はこれに限らず、表面の法線が裏面の法線方向の成分を持つような方向であってもよく、このような場合も、裏面の操作面が表面の表示面とは反対側に設けられている、という意味に含まれる。
また、表示装置１０は、表面操作や裏面操作を接触操作で検知していたが、表面や裏面に対する操作を非接触の近接操作で検出してもよい。また、表示装置１０は、表面操作を接触操作で検知するのではなく、物理キーの押下操作等で検知してもよい。この場合、表示装置１０は表面センサ１２２を備えなくてよい。
上述した実施形態および各変形例において、表示装置１０の制御部１１が実現する各機能は、複数のプログラムの組み合わせによって実現され、又は、複数のハードウェア資源の協働によって実現されうる。また、本発明の表示装置は、コンピュータや制御部１１が実行するプログラムやコンテンツの表示制御方法として把握することも可能である。
【符号の説明】
【００４５】
１０…表示装置、１１…制御部、１１１…操作検出部、１１２…表示制御部、１２…操作部、１２１…裏面タッチパッド、１２２…表面センサ、１３…通信部、１４…表示部、１４１…表示面、１５…記憶部。
【図１】
2014092880.tif 000003
【図２】
2014092880.tif 000004
【図３】
2014092880.tif 000005
【図４】
2014092880.tif 000006
【図５】
2014092880.tif 000007
【図６】
2014092880.tif 000008
【図７】
2014092880.tif 000009
【図８】
2014092880.tif 000010
【図９】
2014092880.tif 000011